(57)【要約】  本発明は、ペット乾燥装置に関するものであって、内部にドライルームを有する本体を含むペット乾燥装置であって、本体の上部に備えられ、その内部には、外気およびドライルーム内部の内気を吸入して循環させる送風ファンが備えられるメインモジュールと、メインモジュールの後端部に備えられ、その内側部には、送風ファンによる外気および内気が流入してドライルームに供給される後方チャンバーを有する背面板と、メインモジュールの両側部に備えられ、その内側部には、背面板の後方チャンバーと連通して送風ファンによる外気および内気が流入してドライルームに供給される側方チャンバーを有する側面板と、背面板および側面板の下部に備えられ、その内側部には、背面板の後方チャンバーと連通して送風ファンによる外気および内気が流入してドライルームに供給される底チャンバーを有する底板と、メインモジュールの先端部に備えられる一方、ドライルームを開閉させるドアが回転可能に備えられている前面板と、を含むペット乾燥装置を提供する。【選択図】図５
2021523740.tif 000002
【特許請求の範囲】
【請求項１】
内部にドライルームを有する本体を含むペット乾燥装置であって、
本体の上部に備えられ、その内部には、外気およびドライルーム内部の内気を吸入して循環させる送風ファンが備えられるメインモジュールと、
メインモジュールの後端部に備えられ、その内側部には、送風ファンによる外気および内気が流入してドライルームに供給される後方チャンバーを有する背面板と、
メインモジュールの両側部に備えられ、その内側部には、背面板の後方チャンバーと連通して送風ファンによる外気および内気が流入してドライルームに供給される側方チャンバーを有する側面板と、
背面板および側面板の下部に備えられ、その内側部には、背面板の後方チャンバーと連通して送風ファンによる外気および内気が流入してドライルームに供給される底チャンバーを有する底板と、
メインモジュールの先端部に備えられる一方、ドライルームを開閉させるドアが回転可能に備えられている前面板と、を含み、
メインモジュールには、外気が流入する上面吸入口とドライルームと向い合ってドライルームの内気が流入する前面吸入口および流入した外気と内気が両側部に排出されてメインモジュールの内部に供給される排出口を有するフィルターハウジングが備えられ、
フィルターハウジングに挿入される一方、メインモジュール内に流入する外気と内気をすべて浄化して排出させる統合フィルターが備えられるペット乾燥装置。
【請求項２】
統合フィルターは、その内部が空の中空部材で備えられ、フィルターハウジングの上面吸入口と前面吸入口による外気と内気がその表面を通過しつつフィルタリングされ、その内部で外気と内気が混合されつつ内周面と接して再びフィルタリングされて排出されるように備えられる請求項１に記載のペット乾燥装置。
【請求項３】
前面板とドアとの間および側面板には、ドライルームを換気させる一方、乾燥時にドライルーム内部に陰圧形成のための通気口と換気口がそれぞれ備えられる請求項１に記載のペット乾燥装置。
【発明の詳細な説明】
【技術分野】
【０００１】
本発明は、ペット乾燥装置に関するものであって、より具体的には、ペットを乾燥させるためのドライルーム内部の全空間に乾燥風を均等に供給し、ペットを迅速かつ効率的に乾燥させるようにするペット乾燥装置に関する。
【背景技術】
【０００２】
最近、核家族化や単身世帯の増加による情緒的ニーズの増大などの様々な理由でペットについての需要が増えている。
【０００３】
ペットの種類も伝統的な犬や猫だけでなく、その他の哺乳類はもちろん、爬虫類や両生類など、人々の好みによって非常に多様化しているが、いまだに最も主流となるものはやはり犬や猫のような哺乳類が占めている。
【０００４】
ペットも人のように衛生と健康のために頻繁に入浴させなければならないが、哺乳類の場合は、通常、身体に多くの毛を持っているため、入浴自体も容易でない作業になるだけでなく、入浴後に濡れた毛を人間が直接時間と手間をかけて乾燥させなければならないため、ペットの管理において、かなりの煩わしさを抱かせている。
【０００５】
ペットの毛を乾燥させるために使用される様々な方法のうち、最も一般的なものが人の毛髪の乾燥のために使用されるか、またはペット専用のヘアードライヤーを用いて熱風乾燥させるものである。
【０００６】
ところが、ペットの場合、毛が濡れると、体を振って払落とそうとする習性があるため、乾燥中に頻繁に体を振って周辺に水と毛が飛び散ることになり、これにより作業者に不快感を抱かせ、乾燥後に掃除が必要となるため、煩わしさを加重させる。
【０００７】
また、入浴に慣れる前やペットの習性によって、乾燥させている間ペットが体を動かし続けたり、他の場所に逃げようとする場合が多く、これを防止するためにペットを手で捕まえなければならないため、作業がより煩わしくなり、乾燥時間も長くかかる。
【０００８】
そして、ヘアードライヤーで毛を乾燥する過程で毛が抜けて飛んだり、床に落ちるなどの非衛生的な短所もある。
【０００９】
このような短所を改善するように、ペットの毛を自動で乾燥させるペット用乾燥機が開発され、このようなペット用乾燥機は、韓国公開特許第１０−２０１５−００４９８１０号（以下「先行技術文献１」という）で「ペット乾燥ルーム」として提案されたことがある。
【００１０】
先行技術文献１には、折畳み式で構成された本体と、本体と分離される乾燥モジュールによって重さおよび体積を大幅に減らし、保管性および携帯性が良いというペット乾燥ルームが開示されている。
【００１１】
しかし、先行技術文献１に開示されたペット乾燥ルームは、乾燥モジュールから提供される乾風（乾燥のための風）が一方向のみに噴射され、乾燥効率が低いという短所が内在している。
【００１２】
そして、また他の従来技術は、韓国登録実用第２０−０４６２９０６号（以下「先行技術文献２」という）で「ペット用乾燥装置」が提案されたことがあり、韓国登録実用第２０−０４７１５７９号（以下「先行技術文献３」という）で「ペットの犬ドライ装置」が提案されたことがあり、韓国登録実用第２０−０４７６７４８号（以下「先行技術文献４」という）で「ペット乾燥装置」が提案されたことがある。
【００１３】
ところが、先行技術文献２では、乾風（温風）が乾燥対象の下部にのみ噴射され、先行技術文献３でも乾燥対象の一側にのみ乾風が噴射され、先行技術文献４でも乾燥対象の一側方向にのみ乾風が噴射されてペットの乾燥効率が低いという短所がある。
【先行技術文献】
【特許文献】
【００１４】
【特許文献１】韓国公開特許第１０−２０１５−００４９８１０号
【特許文献２】韓国登録実用第２０−０４６２９０６号
【特許文献３】韓国登録実用第２０−０４７１５７９号
【特許文献４】韓国登録実用第２０−０４７６７４８号
【発明の概要】
【発明が解決しようとする課題】
【００１５】
したがって、本発明は、ペットを乾燥させるためのペット乾燥装置のドライルーム内部の全空間に乾燥風を均等に供給し、ペットの濡れた毛および肌を迅速かつ効率的に乾燥させるようにするペット乾燥装置を提供することにその目的がある。
【００１６】
そして、本発明のまた他の目的は、ドライルーム内部の空気を循環させてドライルーム内部に再供給することにより、ドライルーム内部に陰圧を形成してペットの毛が外部に流出することを防止できるようにするペット乾燥装置を提供することにある。
【課題を解決するための手段】
【００１７】
前述の目的を達成するための本発明によるペット乾燥装置は、内部にドライルームを有する本体を含むペット乾燥装置であって、本体の上部に備えられ、その内部には、外気およびドライルーム内部の内気を吸入して循環させる送風ファンが備えられるメインモジュールと、メインモジュールの後端部に備えられ、その内側部には、送風ファンによる外気および内気が流入してドライルームに供給される後方チャンバーを有する背面板と、メインモジュールの両側部に備えられ、その内側部には、背面板の後方チャンバーと連通して送風ファンによる外気および内気が流入してドライルームに供給される側方チャンバーを有する側面板と、背面板および側面板の下部に備えられ、その内側部には、背面板の後方チャンバーと連通して送風ファンによる外気および内気が流入してドライルームに供給される底チャンバーを有する底板と、メインモジュールの先端部に備えられる一方、ドライルームを開閉させるドアが回転可能に備えられている前面板と、を含み得る。
【００１８】
そして、メインモジュールには、外気が流入する上面吸入口とドライルームと向い合ってドライルームの内気が流入する前面吸入口および流入した外気と内気が両側部に排出されてメインモジュールの内部に供給される排出口を有するフィルターハウジングが備えられ、フィルターハウジングに挿入される一方、メインモジュール内に流入する外気と内気をすべて浄化し、内、外気用浄化フィルターを１つに一元化してフィルターハウジングの外側で一度に交換できるようにする統合フィルターが備えられ得る。
【００１９】
さらに、統合フィルターは、その内部が空の中空部材で備えられ、フィルターハウジングの上面吸入口と前面吸入口による外気と内気がその表面を通過しつつフィルタリングされ、その内部で外気と内気が混合されつつ内周面と接して再びフィルタリングされて排出されるように備えられ得る。
【００２０】
また、前面板とドアとの間および側面板には、ドライルームを換気させる一方、乾燥時にドライルーム内部に陰圧形成のための通気口と換気口がそれぞれ備えられ得る。
【発明の効果】
【００２１】
本発明のペット乾燥装置によると、ペット乾燥装置のドライルームの全内側面から乾燥風が均等に供給されることにより、ドライルーム内でペットの濡れた毛および肌を迅速かつ効率的に乾燥させ得る長所がある。
【００２２】
そして、本発明によると、ドライルーム内部の空気は、送風ファンによって統合フィルターに排出されて浄化された後、再びドライルームに再供給される循環によってドライルーム内部には陰圧が形成されることにより、乾燥過程でペットの毛が飛んでドライルーム内部から外部に流出することを事前に防止できる長所がある。
【図面の簡単な説明】
【００２３】
【図１】本発明によるペット乾燥装置の外形を示した構成図である。
【図２】本発明によるペット乾燥装置の分解図である。
【図３】本発明によるペット乾燥装置に備えられるメインモジュールと背面板の分離図である。
【図４】本発明によるペット乾燥装置に供給される外気の流れを示した図面である。
【図５】本発明によるペット乾燥装置のドライルームに供給される空気の流れを示した結合断面図である。
【発明を実施するための形態】
【００２４】
以下、本発明の好ましい実施例を添付された図面を参照して具体的に説明する。
本発明で使用される用語は、本発明での機能を考慮して定義された用語であって、これは使用者、運用者の意図または慣例によって変わり得るため、これらの用語についての定義は、本発明の技術的事項に符合する意味と概念として解釈されるべきである。
【００２５】
そして、本発明で使用される用語は、１つの構成要素を他の構成要素から区別するために使用されるものであって、本発明の構成要素が前記用語によって制限されるものではない。
【００２６】
本発明において、「上に形成」および「側面に形成」などは、当該構成要素が直接接して積層形成されることだけを意味するものではなく、当該構成要素の間に他の構成要素がさらに形成されている意味を含む。例えば、「上に形成される」というのは、第１構成要素に第２構成要素が直接接して形成される意味は勿論、第１構成要素と第２構成要素との間に第３構成要素がさらに形成され得る意味を含む。
【００２７】
添付図面の図１ないし図５は、本発明によるペット乾燥装置を示す図面である。
【００２８】
本発明によるペット乾燥装置は、図１ないし図３に示すように、内部にペットが収容されて乾燥されるドライルーム７００が提供されるボックスタイプの本体１００を含む。
【００２９】
このような本体１００は、上面のメインモジュール２００と、両側の側面板３００と、背面板４００、底板５００、前面板６００および前面板６００に備えられるドア６１０を含み、六面体のボックス形状に形成される。
【００３０】
これにより、メインモジュール２００と底板５００、背面板４００、両側面板３００、前面板６００およびドア６１０によって区画される本体１００の内部空間は、ペットが収容されて乾燥されるドライルーム７００として提供される。
【００３１】
特に、メインモジュール２００は、図２および図３に示すように、本体１００の上面に結合されて備えられるハウジング２１０を含み、ハウジング２１０には、ペット乾燥装置を作動させるための各種制御装置が搭載されて備えられる。
【００３２】
このようなメインモジュール２００のハウジング２１０に搭載される制御装置には、コントローラー２３０が備えられ、コントローラー２３０は、ハウジング２１０の前面部（ドア６１０が備えられる側の部位）に備えられ、使用者がペット乾燥装置を容易に制御できるようにする。
【００３３】
そして、メインモジュール２００のハウジング２１０の内部には、コントローラー２３０によって制御され、ドライルーム７００内に乾燥風（外気および内気）を循環させる送風ファン２４０が備えられ、このような送風ファン２４０によって外部空気（外気）は、メインモジュール２００のハウジング２１０内に吸入され、本体１００内部の空気（内気）は、循環移送されて本体１００の内部に再供給される。このような送風ファン２４０は、シロッコファンで備えられることが好ましいが、これに限定されるものではない。
【００３４】
一方、前記のような送風ファン２４０による空気の移送経路上には、本体１００の内部に熱風を供給するためのヒーター２５０が備えられ、これらのヒーター２５０は、外気と内気の混合空気すなわち、乾燥風が吐出される送風ファン２４０の吐出部に備えられることが最も好ましく、ヒーター２５０もコントローラー２３０によって制御される。
【００３５】
また、メインモジュール２００のハウジング２１０の上面には、送風ファン２４０による外気が吸入される吸入口２１１が形成され、ハウジング２１０の下面には、送風ファン２４０による混合空気が排出される排出口２１２が形成される。
【００３６】
そして、吸入口２１１の下部のハウジング２１０内には、外気が流入されながら外気中の異物をフィルタリングする統合フィルター２２０が備えられ、排出口２１２には、送風ファン２４０の吐出部が貫通した状態に固定されて備えられ得る。
【００３７】
このような統合フィルター２２０は、吸入口２１１の下部のハウジング２１０内に備えられる内部が空の三角形状のフィルターハウジング２２１内に挿入されて回転不可能な状態で備えられる。
【００３８】
一方、前記のようなフィルターハウジング２２１は、メインモジュール２００の吸入口２１１に流入する外気がすぐに吸入されるように開口された上面吸入口２２１ａと、ドライルーム７００と向い合ってドライルーム７００内の内気が流入する前面吸入口２２１ｂと、流入した外気と内気がその両側部に排出されるように開口された排出口２２１ｃと、を含む。
【００３９】
このとき、フィルターハウジング２２１の上面吸入口２２１ａと排出口２２１ｃは、完全に開口された形態を取るが、ドライルーム７００と向い合う前面吸入口２２１ｂは、グリル構造に開口されるように形成することが好ましい。これは、ドライルーム７００から内気と一緒に排出され得るペットの毛をグリル構造として漉すようにしたものである。
【００４０】
一方、統合フィルター２２０は、前記のようなフィルターハウジング２２１の内部に挿入されて固定された状態でフィルターハウジング２２１に流入する外気と内気を一度にすべて浄化させて送風ファン２４０に供給されるようにする。
【００４１】
すなわち、統合フィルター２２０は、フィルターハウジング２２１に対応する外形を有し、その両側端部が開口された中空部材に形成されるが、統合フィルター２２０は、フィルターハウジング２２１の上面吸入口２２１ａに流入する外気が通過しつつフィルタリングされる上面部２２０ａと、フィルターハウジング２２１の前面吸入口２２１ｂに流入するドライルーム７００内の内気が通過しつつフィルタリングされる前面部２２０ｂと、上面部２２０ａと前面部２２０ｂを通過しつつフィルタリングされた外気および内気がその内部で混合されつつ接して再びフィルタリングされる内周面２２０ｃと、を含み得る。
【００４２】
これにより、統合フィルター２２０の上面部２２０ａと前面部２２０ｂを介してフィルターハウジング２２１に流入する外気と内気がすべて浄化されるため、従来の別にそれぞれ備えられた外気用浄化フィルターと内気用浄化フィルターを１つのフィルターとして一元化し得、統合フィルター２２０の汚染時に、フィルターハウジング２２１の外側で統合フィルター２２０を一度に容易に交換できる長所がある。
【００４３】
前記のように、統合フィルター２２０からフィルタリングされた外気と内気の混合空気は、フィルターハウジング２２１の開口された両側排出口２２１ｃを介して排出されて送風ファン２４０に供給される。
【００４４】
したがって、送風ファン２４０の吸入力によってメインモジュール２００の吸入口２１１に吸入された外気は、フィルターハウジング２２１の上面吸入口２２１ａに吸入され、統合フィルター２２０の上面部２２０ａを通過しつつ１次フィルタリングされ、ドライルーム７００内の内気は、フィルターハウジング２２１の前面吸入口２２１ｂに吸入され、統合フィルター２２０の前面部２２０ｂを通過しつつ１次フィルタリングされ、このように１次フィルタリングされた外気と内気は、統合フィルター２２０の内部で混合されつつ、統合フィルター２２０の内周面と接触して２次フィルタリングされた後に、フィルターハウジング２２１の両側排出口２２１ｃを介して排出されて送風ファン２４０に供給される。
【００４５】
一方、フィルターハウジング２２１の両側排出口２２１ｃを介して排出された混合空気は、シロッコファンからなる送風ファン２４０の構造的特性上、送風ファン２４０の両側吸入口に迅速に吸入できるため、送風ファン２４０による空気（乾燥風）の流れを迅速に維持し得るようになる。
【００４６】
そして、送風ファン２４０に流入した内、外気の混合空気は、ヒーター２５０を介して加熱されると、本体１００のドライルーム７００に熱風で供給され得、加熱されない場合は、本体１００のドライルーム７００に乾風で供給され得る。
【００４７】
すなわち、このような乾風または熱風は、ドライルーム７００を成す背面板４００の後方チャンバー４１０内に供給され、背面板４００の後方チャンバー４１０に供給された乾燥風のうち、一部は、ドライルーム７００に直接供給され、残りは、側面板３００の側方チャンバー３１０と底板５００の底チャンバー５１０に流入した後に、それぞれ側面と底面を介してドライルーム７００内に供給される。
【００４８】
そして、背面板４００は、メインモジュール２００のハウジング２１０の後端部に備えられてドライルーム７００の背面を構成する部分であって、ドライルーム７００を向いた内側部には、送風ファン２４０による外気と内気の混合空気が流入する後方チャンバー４１０が形成される。
【００４９】
後方チャンバー４１０は、その上面部に送風ファン２４０から吐出された乾燥風（混合空気）が供給される流入口４１１が形成され、ドライルーム７００を向いた前面部には、ドライルーム７００内に混合空気（乾燥風）を直接噴射して供給する多数の噴射口４１３が備えられ、その両側部と前面下部には、それぞれ後述される側方チャンバー３１０と底チャンバー５１０に混合空気を供給するための排出口４１２がそれぞれ形成される。
【００５０】
したがって、後方チャンバー４１０の流入口４１１に流入した一部の混合空気は、噴射口４１３を介して乾燥風でドライルーム７００の背面に直接供給されてペットの顔や背中部位を乾燥させ得、残りの混合空気は、各排出口４１３を介して側方チャンバー３１０と底チャンバー５１０にそれぞれ排出されて供給される。
【００５１】
また、側面板３００は、メインモジュール２００のハウジング２１０の両側部にそれぞれ備えられてドライルーム７００の両側面を構成する部分として、ドライルーム７００を向いた内側部には、後方チャンバー４１０による混合空気が流入する側方チャンバー３１０が備えられる。
【００５２】
側方チャンバー３１０は、その後端部に後方チャンバー４１０の排出口４１２と連通する流入口３１１が形成され、ドライルーム７００を向いた内側面部には、ドライルーム７００内に混合空気を噴射する多数の噴射口３１２が備えられ、噴射口３１２下部の外側面部には、普段のドライルーム７００の換気と乾燥時のドライルーム７００の陰圧形成のための換気口３３０が別に備えられ得、このような換気口３３０によるドライルーム７００の陰圧形成については、後述される通気口６２０でともに説明する。
【００５３】
これにより、側方チャンバー３１０は、流入口３１１を介して後方チャンバー４１０から排出された混合空気が流入し、流入したすべての混合空気は、噴射口３１２を介して乾燥風でドライルーム７００の両側面に噴射され、ペットの胴の両側部を乾燥させ得るようになる。
【００５４】
一方、このような側方チャンバー３１０の内側面部には、後述されるドア６１０のベアリングホイール６１２、６１３が結合されて案内されるレール溝３２０がさらに備えられ得、このようなレール溝３２０は、下部から上部に行くほどドライルーム７００の内部に傾くように形成される縦部と、縦部の上端部からドライルーム７００の内部に延長され、ドライルーム７００の内部に行くほど下方に傾くように形成される横部を含む。このようなレール溝３２０は、後述されるドア６１０を開閉させるとき、ドア６１０の回転をスムーズに誘導できるようになる。
【００５５】
底板５００は、ドライルーム７００の底面を構成する部分であって、背面板４００と両側面板３００および後述される前面板６００の下端部に結合されて備えられる。
【００５６】
このような底板５００は、ドライルーム７００を向いた内側部に多数の底チャンバー５１０が互いに連通するように備えられる。
【００５７】
このような底チャンバー５１０は、その後端部に後方チャンバー４１０の排出口４１２と連通する流入口５１１が形成され、ドライルーム７００を向いた内側面部には、ドライルーム７００内に混合空気を噴射する多数の噴射口５１２が備えられる。
【００５８】
そして、多数の底チャンバー５１０の上には、ペットが上に立てるパッド５２０が脱着可能に備えられ、パッド５２０には、多数の通孔が形成されており、底チャンバー５１０の噴射口５１２から噴射された混合空気がドライルーム７００の底面に供給され、ペットの胴の下部、すなわち腹部位を乾燥させ得ることになる。
【００５９】
このとき、パッド５２０は、ペットが滑ることを最小化できる摩擦力に優れたゴム材質で備えられることが好ましい。
【００６０】
前面板６００は、両側面板３００と底板５００の前面に結合されてドライルーム７００の前面を構成する部分であり、その中央部には、ドア６１０が設置できる貫通した出入口が設けられる。
【００６１】
このような前面板６００の出入口に設置されるドア６１０は、その両側端部にヒンジブラケット６１１がそれぞれ備えられ、ヒンジブラケット６１１の上、下部には、互いに異なる長さに突出するベアリングホイール６１２、６１３が回転可能に備えられる。
【００６２】
このようなドア６１０両側のベアリングホイール６１２、６１３は、両側面板３００のレール溝３２０にそれぞれ結合されて備えられるが、ドア６１０が閉まっている状態では、上部のベアリングホイール６１２は、レール溝３２０の横部に位置して備えられ、下部のベアリングホイール６１３は、レール溝３２０の縦部に位置して備えられ、ドア６１０が開いている状態では、上、下部のベアリングホイール６１２、６１３の両方がレール溝３２０の横部に位置して備えられる。
【００６３】
このとき、各ベアリングホイール６１２、６１３は、傾斜したレール溝３２０の横部と縦部でそれぞれ転がりながらドア６１０の円滑な回転を誘導でき、ドア６１０が開いている状態では、上、下のベアリングホイール６１２、６１３の両方がレール溝３２０の横部に位置するため、ドア６１０の自重によって開放された状態を強固に維持し得ることになる。
【００６４】
一方、前記のように、ドア６１０が前面板６００の出入口が挿入された状態で、その両側部がヒンジブラケット６１１と複数のベアリングホイール６１２、６１３によって側面板３００のレール溝３２０にそれぞれヒンジ結合されることにより、ドア６１０を前面板６００に直接結合しなくても、ドア６１０を前面板６００強固に設置し得ることになる。
【００６５】
そして、これらのドア６１０と前面板６００との間には、ドライルーム７００に入っているペットの窒息死を予防するための通気口６２０が形成され得、このような通気口６２０は、ドア６１０と前面板６００との間の全周に沿って形成されてドライルーム７００を十分に換気させるようにすることが好ましい。
【００６６】
さらに、前記のような通気口６２０は、普段、すなわち送風ファン２４０が作動しない非乾燥時には、ドライルーム７００を換気させることになり、送風ファン２４０の作動による乾燥時には、前述した側面板３００の換気口３３０とともにドライルーム７００の内部に陰圧を形成することになる。
【００６７】
すなわち、前記のように、ドライルーム７００を形成するメインモジュール２００のハウジング２１０と、背面板４００の後方チャンバー４１０、両側面板３００の側方チャンバー３１０、底板５００の底チャンバー５１０、前面板６００とドア６１０との間の通気口６２０、換気口３３０がすべて連通しているため、ペットの乾燥時に送風ファン２４０が作動すると、ドライルーム７００内には、送風ファン２４０による吸入力が作用してドライルーム７００の内気は、送風ファン２４０とドライルーム７００を循環するようになり、通気口６２０と換気口３３０によってドライルーム７００には、持続的に外気が吸入されて流入するため、ドライルーム７００の内部は、陰圧が形成されて維持される。
【００６８】
したがって、ドライルーム７００の陰圧形成による乾燥時に、ドライルーム７００から発生するペットの毛の外部流出を防止できるようになる。
【００６９】
また、前記のようなドア６１０には、ドライルーム７００内で乾燥されるペットを肉眼で直接観察できるようにする確認窓６１４が備えられ得る。
【００７０】
以上のような本発明によるペット乾燥装置は、送風ファン２４０が作動すると、図４のように、外気（内部が空の矢印）がメインモジュール２００の吸入口２１１を介して流入し、ドライルーム７００内部の内気（内部がハッチングされた矢印）は、フィルターハウジング２２１の前面吸入口２２１ｂを介してフィルターハウジング２２１内に流入する。
【００７１】
このように流入した外気と内気は、それぞれフィルターハウジング２２１の内部に備えられた統合フィルター２２０の上面部２２０ａと前面部２２０ｂを介して１次フィルタリングされ、統合フィルター２２０の内部で外気と内気が混合流動しながら、統合フィルター２２０の内周面２２０ｃと接触して２次フィルタリングされた後に、フィルターハウジング２２１の両側排出口２２１ｃを介して排出されて送風ファン２４０に供給される。
【００７２】
送風ファン２４０に供給された外気と内気の混合空気（内部が黒色で満たされた矢印）は、図５のように、送風ファン２４０から吐出されながら、ヒーター２５０によって加熱されると熱風で、未加熱では乾風で背面板４００の後方チャンバー４１０に供給される。
【００７３】
後方チャンバー４１０に供給された一部の混合空気は、後方チャンバー４１０の噴射口４１３を介してドライルーム７００内に噴射されてペットの顔や背中部位を乾燥させることになり、残りの混合空気は、側面板３００の側方チャンバー３１０と底板５００の底チャンバー５１０に供給される。
【００７４】
側方チャンバー３１０と底チャンバー５１０に供給された混合空気は、側方チャンバー３１０および底チャンバー５１０の各噴射口３１２、５１２を介してすべてドライルーム７００内に噴射され、ペットの胴のわき腹部位や腹部位を乾燥させることになる。
【００７５】
さらに、送風ファン２４０の作動時には、図４のように、前面板６００とドア６１０との間の通気口６２０に新鮮な外気が強制吸入されてドライルーム７００の内部に供給されることにより、乾燥している間に快適さを維持し得ることになる。
【００７６】
したがって、ペットの乾燥時に図５のように、送風ファン２４０の作動による吸入力がドライルーム７００に作用してドライルーム７００内部の内気が吸い出て循環され、通気口６２０と換気口３３０を介して外気が持続的にドライルーム７００に流入するため、ドライルーム７００では、陰圧が維持されて乾燥時に発生するペットの毛の外部流出を防止できる。
【００７７】
そして、乾燥後にドライルーム７００にペットが残っていても、ドア６１０と前面板６００との間の通気口６２０によって十分な換気ができるため、ペットの窒息死を予防し得る。
【００７８】
以上、本発明を具体的な実施例によって詳しく説明したが、これは本発明を具体的に説明するためのものであって、本発明は、これに限定されず、本発明の技術的思想内で当分野の通常の知識を有する者によってその変形や改良が可能であることは明らかである。
【００７９】
本発明の単純な変形ないし変更は、すべて本発明の範疇に属するものであって、本発明の具体的な保護の範囲は、添付された特許請求の範囲によって明確になるであろう。
【図１】
2021523740.tif 000003
【図２】
2021523740.tif 000004
【図３】
2021523740.tif 000005
【図４】
2021523740.tif 000006
【図５】
2021523740.tif 000007
【国際調査報告】
2021523740.tif 000008
2021523740.tif 000009
2021523740.tif 000010
2021523740.tif 000011